(57)【要約】【課題】操作性が高いユーザインタフェースを有する情報端末装置を提供する。【解決手段】所定の情報を示す複数のアイコンを表示部（ＬＣＤ３０）に表示する際の表示サイズと表示範囲の指定をユーザから受け付ける指定受付手段（ＣＰＵ２０ａ）と、指定受付手段によって受け付けられた表示サイズと表示範囲に基づいて、表示範囲に属するアイコンを、表示サイズで表示部に所定の順序で表示するアイコン表示手段（描画処理部２０ｅ）と、アイコン表示手段によって表示されたアイコンのまとまりを示す索引としてのインデックスをアイコンのまとまり毎に表示部に表示するインデックス表示手段（描画処理部２０ｅ）と、表示部に表示されないインデックスの全てを、表示部にサブインデックスとして表示するサブインデックス表示手段（描画処理部２０ｅ）と、を有する。【選択図】図２
2013200894.tif 000002
【特許請求の範囲】
【請求項１】
情報を表示する表示部を有する可搬型の情報端末装置において、
所定の情報を示す複数のアイコンを前記表示部に表示する際の表示サイズと表示範囲の指定を前記表示部に重ねて配置されたタッチパネルへのユーザ操作に基づいて受け付ける指定受付手段と、
前記指定受付手段によって受け付けられた前記表示サイズと前記表示範囲に基づいて、前記表示範囲に属するアイコンを、前記表示サイズで前記表示部に所定の順序で表示するアイコン表示手段と、
前記アイコン表示手段によって表示されたアイコンのまとまりを示す索引としてのインデックスを前記アイコンのまとまり毎に前記表示部に表示するインデックス表示手段と、  前記表示部に表示されないインデックスの全てを、前記表示部にサブインデックスとして表示するサブインデックス表示手段と、を有し、
前記アイコン表示手段は、前記アイコンが表示されている画面の領域における前記タッチパネルへのユーザのスクロール操作に基づいて、前記アイコンの表示範囲を移動させる  ことを特徴とする情報端末装置。
【請求項２】
請求項１記載の情報端末装置において、
前記サブインデックスの何れかを選択する操作がユーザによってなされた場合には、前記アイコン表示手段は、選択されたサブインデックスに対応するアイコンを前記表示部に表示し、前記インデックス表示手段は、表示されたアイコンに対応するインデックスを前記表示部に表示し、前記サブインデックス表示手段は、前記表示部に表示されないインデックスの全てを、前記表示部にサブインデックスとして表示する、ことを特徴とする情報端末装置。
【請求項３】
請求項１または２に記載の情報端末装置において、
前記アイコン表示手段によって表示する対象となるアイコンの種類を絞り込む操作がユーザによってなされた場合には、前記アイコン表示手段は、表示する対象となる種類のアイコンを前記表示部に表示し、前記インデックス表示手段は、表示されたアイコンに対応するインデックスを前記表示部に表示し、前記サブインデックス表示手段は、前記表示部に表示されないインデックスの全てを、前記表示部にサブインデックスとして表示する、ことを特徴とする情報端末装置。
【請求項４】
情報を表示する表示部を有する可搬型の情報端末装置の情報処理方法において、
所定の情報を示す複数のアイコンを前記表示部に表示する際の表示サイズと表示範囲の指定を前記表示部に重ねて配置されたタッチパネルへのユーザ操作に基づいて受け付ける指定受付ステップと、
指定受付手段によって受け付けられた前記表示サイズと前記表示範囲に基づいて、前記表示範囲に属するアイコンを、前記表示サイズで前記表示部に所定の順序で表示するアイコン表示ステップと、
前記アイコン表示ステップによって表示されたアイコンのまとまりを示す索引としてのインデックスを前記アイコンのまとまり毎に前記表示部に表示するインデックス表示ステップと、
前記表示部に表示されないインデックスの全てを、前記表示部にサブインデックスとして表示するサブインデックス表示ステップと、を有し、
前記アイコン表示ステップでは、前記アイコンが表示されている画面の領域における前記タッチパネルへのユーザのスクロール操作に基づいて、前記アイコンの表示範囲を移動させる
ことを特徴とする情報端末装置の情報処理方法。
【請求項５】
情報を表示する表示部を有する可搬型の情報端末装置の情報処理プログラムにおいて、
所定の情報を示す複数のアイコンを前記表示部に表示する際の表示サイズと表示範囲の指定を前記表示部に重ねて配置されたタッチパネルへのユーザ操作に基づいて受け付ける指定受付手段、
前記指定受付手段によって受け付けられた前記表示サイズと前記表示範囲に基づいて、前記表示範囲に属するアイコンを、前記表示サイズで前記表示部に所定の順序で表示するアイコン表示手段、
前記アイコン表示手段によって表示されたアイコンのまとまりを示す索引としてのインデックスを前記アイコンのまとまり毎に前記表示部に表示するインデックス表示手段と、  前記表示部に表示されないインデックスの全てを、前記表示部にサブインデックスとして表示するサブインデックス表示手段、としてコンピュータを機能させ、
前記アイコン表示手段は、前記アイコンが表示されている画面の領域における前記タッチパネルへのユーザのスクロール操作に基づいて、前記アイコンの表示範囲を移動させる  ことを特徴とするコンピュータ読み取り可能な情報処理プログラム。
【発明の詳細な説明】
【技術分野】
【０００１】
本発明は、情報端末装置、情報端末装置の情報処理方法、および、情報処理プログラムに関する。
【背景技術】
【０００２】
近年、コンテンツを示すアイコンを表示し、所望のアイコンを選択することにより、当該アイコンに対応するコンテンツを再生することが可能な再生装置（例えば、特許文献１参照）が市場に多数流通している。
【先行技術文献】
【特許文献】
【０００３】
【特許文献１】特開２００６−２９５２３６号公報
【発明の概要】
【発明が解決しようとする課題】
【０００４】
ところで、このような再生装置では、コンテンツが多数存在する場合には、目的のアイコンを選択するまでに時間を要するという問題点がある。
【０００５】
そこで、本発明は、操作性が高いユーザインタフェースを有する情報端末装置、情報端末装置の情報処理方法、および、情報処理プログラムを提供することを目的とする。
【課題を解決するための手段】
【０００６】
上記課題を解決するため、本発明は、情報を表示する表示部を有する可搬型の情報端末装置において、所定の情報を示す複数のアイコンを前記表示部に表示する際の表示サイズと表示範囲の指定を前記表示部に重ねて配置されたタッチパネルへのユーザ操作に基づいて受け付ける指定受付手段と、前記指定受付手段によって受け付けられた前記表示サイズと前記表示範囲に基づいて、前記表示範囲に属するアイコンを、前記表示サイズで前記表示部に所定の順序で表示するアイコン表示手段と、前記アイコン表示手段によって表示されたアイコンのまとまりを示す索引としてのインデックスを前記アイコンのまとまり毎に前記表示部に表示するインデックス表示手段と、前記表示部に表示されないインデックスの全てを、前記表示部にサブインデックスとして表示するサブインデックス表示手段と、を有し、前記アイコン表示手段は、前記アイコンが表示されている画面の領域における前記タッチパネルへのユーザのスクロール操作に基づいて、前記アイコンの表示範囲を移動させることを特徴とする情報端末装置を提供することができる。
【０００７】
また、上記構成において、前記サブインデックスの何れかを選択する操作がユーザによってなされた場合には、前記アイコン表示手段は、選択されたサブインデックスに対応するアイコンを前記表示部に表示し、前記インデックス表示手段は、表示されたアイコンに対応するインデックスを前記表示部に表示し、前記サブインデックス表示手段は、前記表示部に表示されないインデックスの全てを、前記表示部にサブインデックスとして表示する、ことを特徴とする情報端末装置が提供される。
この構成によれば、サブインデックスが選択された場合には、サブインデックスに対応するアイコンが表示される。このため、所望のアイコンを迅速に画面上に表示させることができる。
【０００８】
また、上記構成において、前記アイコン表示手段によって表示する対象となるアイコンの種類を絞り込む操作がユーザによってなされた場合には、前記アイコン表示手段は、表示する対象となる種類のアイコンを前記表示部に表示し、前記インデックス表示手段は、表示されたアイコンに対応するインデックスを前記表示部に表示し、前記サブインデックス表示手段は、前記表示部に表示されないインデックスの全てを、前記表示部にサブインデックスとして表示する、ことを特徴とする情報端末装置が提供される。
この構成によれば、アイコンの種類を絞り込むことにより、表示部に表示されるアイコンの個数を減少させることができる。このため、所望のアイコンを迅速に見つけ出すことが可能になる。
【０００９】
また、本発明は、情報を表示する表示部を有する可搬型の情報端末装置の情報処理方法において、所定の情報を示す複数のアイコンを前記表示部に表示する際の表示サイズと表示範囲の指定を前記表示部に重ねて配置されたタッチパネルへのユーザ操作に基づいて受け付ける指定受付ステップと、指定受付手段によって受け付けられた前記表示サイズと前記表示範囲に基づいて、前記表示範囲に属するアイコンを、前記表示サイズで前記表示部に所定の順序で表示するアイコン表示ステップと、前記アイコン表示ステップによって表示されたアイコンのまとまりを示す索引としてのインデックスを前記アイコンのまとまり毎に前記表示部に表示するインデックス表示ステップと、前記表示部に表示されないインデックスの全てを、前記表示部にサブインデックスとして表示するサブインデックス表示ステップと、を有し、前記アイコン表示ステップでは、前記アイコンが表示されている画面の領域における前記タッチパネルへのユーザのスクロール操作に基づいて、前記アイコンの表示範囲を移動させることを特徴とする情報端末装置の情報処理方法を提供することができる。
【００１０】
また、本発明は、情報を表示する表示部を有する可搬型の情報端末装置の情報処理プログラムにおいて、所定の情報を示す複数のアイコンを前記表示部に表示する際の表示サイズと表示範囲の指定を前記表示部に重ねて配置されたタッチパネルへのユーザ操作に基づいて受け付ける指定受付手段、前記指定受付手段によって受け付けられた前記表示サイズと前記表示範囲に基づいて、前記表示範囲に属するアイコンを、前記表示サイズで前記表示部に所定の順序で表示するアイコン表示手段、前記アイコン表示手段によって表示されたアイコンのまとまりを示す索引としてのインデックスを前記アイコンのまとまり毎に前記表示部に表示するインデックス表示手段と、前記表示部に表示されないインデックスの全てを、前記表示部にサブインデックスとして表示するサブインデックス表示手段、としてコンピュータを機能させ、前記アイコン表示手段は、前記アイコンが表示されている画面の領域における前記タッチパネルへのユーザのスクロール操作に基づいて、前記アイコンの表示範囲を移動させることを特徴とするコンピュータ読み取り可能な情報処理プログラムを提供することができる。
なお、この制御プログラムは、フレキシブルディスクやハードディスク装置等の磁気的記録媒体、ＭＯ等の光磁気記録媒体、ＣＤ−Ｒ、ＣＤ−ＲＷ、ＤＶＤ±Ｒ、ＤＶＤ±ＲＷ、ＤＶＤ−ＲＡＭ等の光学式記録媒体、半導体記憶デバイスを用いた記憶装置等の各種記録媒体に、コンピュータによって読み取り可能な形式で記録された形態としてもよい。
【発明の効果】
【００１１】
本発明によれば、操作性の高い情報端末装置、情報端末装置の情報処理方法、および、情報処理プログラムを提供することができる。
【図面の簡単な説明】
【００１２】
【図１】実施形態の情報端末装置の外観図である。
【図２】情報端末装置の電気的な構成例を示すブロック図である。
【図３】図２に示すＨＤＤ２０ｄに格納されている楽曲データの構成例を示す図である。
【図４】メニューの階層構造を示す図である。
【図５】ホームメニュー画面の一例である。
【図６】ホームメニュー画面において「Ｍｙ  Ｍｕｓｉｃ」ボタンが操作された場合に実行される処理の一例を示すフローチャートである。
【図７】図６に示す処理が実行された場合に最初に表示される画面の一例である。
【図８】図７の画面においてスライドボタンが下から上に操作された場合に表示される画面の一例である。
【図９】図８の画面において領域１１０の一部が下から上になぞられた場合に表示される画面の一例である。
【図１０】図９の画面において「Ａ」のサブインデックスが操作された場合に表示される画面の一例である。
【図１１】図１０の画面においてスライドボタンが下から上に操作された場合に表示される画面の一例である。
【図１２】図１１の画面においてスライドボタンが下から上に操作された場合に表示される画面の一例である。
【図１３】図８に示す画面においてハードウエアボタン３３ａが操作された場合に表示される画面の一例である。
【図１４】図１３に示す画面において「ＪＡＺＺ」が操作された場合に表示される画面の表示例である。
【発明を実施するための形態】
【００１３】
（Ａ）実施の形態の構成の説明
以下、図面を参照して本発明の一実施の形態を説明する。
図１は、本発明の実施の形態に係る情報端末装置の構成例を示す外観図である。この図に示すように、本発明の実施の形態に係る情報端末装置１０は、略直方体形状を有する筐体１１を有し、筐体１１の表面（図１の奥行き方向手前側の面）には、後述するＬＣＤ（Liquid Crystal Display）３０およびタッチパネル３１が重畳して配置されており、また、その右側（図１の右側）には、ハードウエアボタン３３ａ〜３３ｃが設けられている。さらに、筐体１１の右側側面（図１の右側の側面）には、各種接続端子３５ａ〜３５ｄが設けられている。ここで、ＬＣＤ３０（請求項中「表示部」に対応）は、後述する描画処理部２０ｅから供給される映像信号を表示させる。タッチパネル３１は、ユーザの手またはペン型入力部材によって所定の部位が指示された場合には、当該部位の座標を示す情報を生成して出力する。なお、タッチパネル３１は、ＬＣＤ３０の表示部に重畳するように配置されており、また、タッチパネル３１は透明な部材によって構成されているので、ユーザは、ＬＣＤ３０に表示された情報を参照しながら、タッチパネル３１を操作して情報を入力することができる。
【００１４】
ハードウエアボタン３３ａは、後述するように、ＬＣＤ３０に表示されている画面の階層を変化させる場合に操作される。ハードウエアボタン３３ｂは、後述するホームメニュー画面に移動する場合に操作される。また、ハードウエアボタン３３ｃは、地図を表示する地図画面に移動する場合に操作される。接続端子３５ａには、ヘッドフォンまたはイヤフォンが接続され、ヘッドフォンまたはイヤフォンに対して音声信号を出力する。接続端子３５ｂには、電源を供給する電源ケーブルが接続され、図示せぬＡＣ（Alternate Current）アダプタから直流電力が供給される。接続端子３５ｃには、ＩＥＥＥ（Institute of Electrical and Electronics Engineers）１３９４ケーブルが接続され、例えば、パーソナルコンピュータまたはビデオカメラ等との間で映像信号等を授受する。接続端子３５ｄには、ＵＳＢ（Universal Serial Bus）ケーブルが接続され、例えば、パーソナルコンピュータまたはディジタルカメラ等との間で画像、音声、映像等の情報を授受する。
【００１５】
図２は、情報端末装置１０の電気的な構成例を示すブロック図である。この図に示すように、情報端末装置１０は、ＣＰＵ（Central Processing Unit）２０ａ、ＲＯＭ（Read Only Memory）２０ｂ、ＲＡＭ（Random Access Memory）２０ｃ、ＨＤＤ（Hard Disk Drive）２０ｄ、描画処理部２０ｅ（請求項中「アイコン表示手段」、「インデックス表示手段」、および、「サブインデックス表示手段」に対応）、Ｉ／Ｆ（Interface）２０ｆ、バス２０ｇ、ＬＣＤ３０、タッチパネル３１（請求項中「指定受付手段」に対応）、ＧＰＳ（Global Positioning System）受信部３２、入力部３３、再生部３４、および、接続端子３５を有している。ここで、ＣＰＵ２０ａは、ＲＯＭ２０ｂおよびＨＤＤ２０ｄに格納されているプログラムに基づいて、装置の各部を制御するとともに、各種演算処理を実行する。ＲＯＭ２０ｂは、ＣＰＵ２０ａが実行するプログラムおよびデータを格納している。ＲＡＭ２０ｃは、ＣＰＵ２０ａがプログラムを実行する際の一時的な格納エリアであるワークエリアとして機能する。ＨＤＤ２０ｄは、磁気記憶媒体であるハードディスクに対して情報を書き込むとともに、書き込まれている情報を読み出す装置である。なお、ＨＤＤ２０ｄには、図３を参照して後述する複数の楽曲データが記憶されている。描画処理部２０ｅは、ＣＰＵ２０ａから供給された描画命令に基づいて描画処理を実行し、得られた画像を映像信号に変換してＬＣＤ３０に供給して表示させる。Ｉ／Ｆ２０ｆは、ＧＰＳ受信部３２、入力部３３、および、タッチパネル３１から出力される情報を入力するとともに、再生部３４および接続端子３５との間で情報を授受する。バス２０ｇは、ＣＰＵ２０ａ、ＲＯＭ２０ｂ、ＲＡＭ２０ｃ、ＨＤＤ２０ｄ、描画処理部２０ｅ、および、Ｉ／Ｆ２０ｆを相互に接続し、これらの間で情報の授受を可能にするための信号線群である。
【００１６】
ＬＣＤ３０は、描画処理部２０ｅから供給される映像信号を表示する。タッチパネル３１は、前述のようにＬＣＤ３０に重畳するように配置され、ユーザの操作に応じた位置情報を生成して出力する。ＧＰＳ受信部３２は、図示せぬ複数のＧＰＳ衛星からの信号を受信し、これらの信号に基づいて三角法によって、自己の所在する位置情報（緯度および経度情報）を生成して出力する。入力部３３は、ハードウエアボタン３３ａ〜３３ｂおよびこれらのハードウエアボタン３３ａ〜３３ｂが操作されることによりオンまたはオフの状態とされる図示せぬスイッチによって構成され、ハードウエアボタン３３ａ〜３３ｂの操作に応じた情報を生成して出力する。再生部３４は、ＣＰＵ２０ａから供給されるビットストリームを、例えば、ＭＰ３方式またはＭＰＥＧ方式に基づいてデコードし、得られた映像データまたは音声データを出力する。接続端子３５は、前述した接続端子３５ａ〜３５ｃによって構成され、接続ケーブルが接続された場合には、接続ケーブルを介して種々の信号または情報を授受することができる。
【００１７】
図３は、ＨＤＤ２０ｄに格納されている楽曲データの構成例を示している。この例では、楽曲データ５０は、属性情報５１、アイコン情報５２、および、符号化データ５３を有している。ここで、属性情報５１は、楽曲データ５０の属性を示す情報であり、この例では、楽曲名５１ａ、アルバム名５１ｂ、アーティスト名５１ｃ、ジャンル５１ｄ、および、その他の情報５１ｅを有している。ここで、楽曲名５１ａは、楽曲に付与された名称を示す情報であり、例えば、「Meditation from Thais」等である。アルバム名５１ｂは、当該楽曲が含まれているアルバムに付与された名称を示す情報であり、例えば、「Violin Show Pieces」等である。ここで、アルバムとは、楽曲データのひとまとまりの単位をいい、例えば、ＣＤ（Compact Disk）に記憶されている単位であったり、楽曲の配布（例えば、ネットワークを通じた配布）の単位であったりする。アーティスト名５１ｃは、当該楽曲を作詞、作曲、編曲、または、演奏した者の氏名を示す情報であり、例えば、「Massenet」等である。ジャンル５１ｄは、当該楽曲が属するジャンルを示す情報であり、例えば、「Classical」等である。その他の情報は、例えば、当該楽曲データが、作詞、作曲、編曲、演奏、または、録音された日時等を示す情報を含む。アイコン情報５２は、当該楽曲データを示すアイコンを表示する際に使用される情報であり、例えば、当該楽曲が含まれているアルバムのジャケットの画像データによって構成される。符号化データ５３は、例えば、ＭＰ３（MPEG Audio Layer 3）、ＡＴＲＡＣ（Adaptive Transform Acoustic Coding）、または、ＷＭＡ（Windows（登録商標） Media Audio）等の音声符号化方式に基づいて符号化（圧縮）された音声データである。なお、このような楽曲データ５０は、図示せぬパーソナルコンピュータによって生成され、ＵＳＢケーブルによってパーソナルコンピュータと、情報端末装置１０とを接続することにより、ＨＤＤ２０ｄに転送される。
【００１８】
（Ｂ）実施の形態の動作の説明
つぎに、本発明の実施の形態の動作について説明する。図４は、情報端末装置１０が有するメニューの階層構造を示す図である。この図に示すように、情報端末装置１０が有するメニューは、図の左側に示す上位階層および右側に示す下位階層を有している。この図の例では、上位階層には、「ＮＡＶＩＧＡＴＩＯＮ」、「ＭＵＳＩＣ」、「ＩＮＴＥＲＮＥＴ」、「ＴＯＯＬ」、および、「ＳＥＴＵＰ」が存在する。ここで、上位階層に属する「ＮＡＶＩＧＡＴＩＯＮ」は、ＬＣＤ３０に地図を表示させ、経路案内等の地図に関する情報処理を行う場合に選択されるメニュー項目である。「ＮＡＶＩＧＡＴＩＯＮ」の下位階層には「ＭＡＰ」、「ＲＯＵＴＥ」、および、「ＭＥＭＯＲＹ」が存在する。「ＭＡＰ」は、ＬＣＤ３０に地図情報を表示する場合に選択されるメニュー項目である。「ＲＯＵＴＥ」は地図情報をＬＣＤ３０に表示してルート検索を行う場合に選択されるメニュー項目である。「ＭＥＭＯＲＹ」は、例えば、ＨＤＤ２０ｄに格納されている履歴等に基づいて、情報を表示したり、ルート検索を行ったりする場合に選択されるメニュー項目である。
【００１９】
上位階層に属する「ＭＵＳＩＣ」は、音楽に関する処理を行う場合に選択されるメニュー項目である。「ＭＵＳＩＣ」の下位階層には、「ＭＹ  ＭＵＳＩＣ」、「ＳＤ  ＭＵＳＩＣ」、および、「ＲＡＤＩＯ」が存在する。「ＭＹ  ＭＵＳＩＣ」は、ＨＤＤ２０ｄに格納されている楽曲データ５０を再生する際に選択されるメニュー項目である。「ＳＤ  ＭＵＳＩＣ」は、図示せぬＳＤ（Secure Digital）メモリカードが、例えば、Ｉ／Ｆ２０ｆに接続され、ＳＤメモリカードに記憶されている楽曲データを再生する場合に選択されるメニュー項目である。「ＲＡＤＩＯ」は、図示せぬチューナ部によってラジオ放送を受信して再生する場合に選択されるメニュー項目である。
【００２０】
上位階層に属する「ＩＮＴＥＲＮＥＴ」は、インターネットに関する処理を行う場合に選択されるメニュー項目である。「ＩＮＴＥＲＮＥＴ」の下位階層には、「ＢＲＯＷＳＥＲ」、「ＭＡＩＬ」、および、「ＭＥＳＳＥＮＧＥＲ」が存在する。「ＢＲＯＷＳＥＲ」は、インターネット上のＷＥＢサーバに格納されているコンテンツを閲覧する際に選択されるメニュー項目である。「ＭＡＩＬ」は、電子メールを送受信、または、作成する際に選択されるメニュー項目である。「ＭＥＳＳＥＮＧＥＲ」は、インターネットに接続しているユーザ間で、テキスト情報によって情報を授受する際に選択されるメニュー項目である。
【００２１】
上位階層に属する「ＴＯＯＬ」は、メモをとったり、スケジュールを入力したりする際に選択されるメニュー項目である。「ＴＯＯＬ」の下位階層には、「ＭＥＭＯ」、「ＳＣＨＥＤＵＬＥＲ」、および、「ＣＡＬＣＵＬＡＴＯＲ」が存在する。「ＭＥＭＯ」は、メモをとる場合に選択されるメニュー項目である。「ＳＣＨＥＤＵＬＥＲ」は、スケジュールを編集および管理する際に選択されるメニュー項目である。「ＣＡＬＣＵＬＡＴＯＲ」は、電卓を表示して計算をする場合に選択されるメニュー項目である。
【００２２】
さらに、上位階層に属する「ＳＥＴＵＰ」は、各種設定を行う際に選択されるメニュー項目である。「ＳＥＴＵＰ」の下位階層には、「ＳＣＲＥＥＮ」および「ＳＯＵＮＤ」が存在する。「ＳＣＲＥＥＮ」は、ＬＣＤ３０の明るさ、および、コントラスト等を設定する場合に選択されるメニュー項目である。「ＳＯＵＮＤ」は、再生部３４の設定を行う場合に選択されるメニュー項目である。
【００２３】
情報端末装置１０が起動されるか、または、ハードウエアボタン３３ｂが操作された場合には、ＣＰＵ２０ａは、ＨＤＤ２０ｄからホームメニュー画面を表示するための情報を読み出し、描画処理部２０ｅに供給する。描画処理部２０ｅは、ＣＰＵ２０ａから供給された情報に基づいて描画処理を実行し、得られた情報を映像信号に変換してＬＣＤ３０に供給して表示させる。この結果、ＬＣＤ３０には、図５（Ａ）に示すようなホームメニュー画面６０が表示される。この表示例では、画面内には、複数の矩形が表示され、それぞれの矩形内にはメニュー項目を示す文字列と、アイコンとが表示されている。メニュー項目の文字列としては、図４の右側に示す下位階層のメニュー項目の一部に対応する文字列が表示されている。図５（Ａ）の例では、図４の「ＮＡＶＩＧＡＴＩＯＮ」に対応する「ＭＡＰ」、「ＲＯＵＴＥ」、および、「ＭＥＭＯＲＹ」に対応する矩形と、図４の「ＭＵＳＩＣ」に対応する「ＭＹ  ＭＵＳＩＣ」および「ＳＤ  ＭＵＳＩＣ」に対応する矩形が表示されている。また、それぞれの文字列の左側には、それぞれのメニュー項目に対応するアイコンが表示されている。
【００２４】
なお、図５（Ａ）では表示を省略しているが、図４において同一の上位階層に属するメニュー項目は、同一の表示色にて表示されている。すなわち、「ＮＡＶＩＧＡＴＩＯＮ」に対応する「ＭＡＰ」、「ＲＯＵＴＥ」、および、「ＭＥＭＯＲＹ」が同一色で表示され、また、「ＭＵＳＩＣ」に対応する「ＭＹ  ＭＵＳＩＣ」および「ＳＤ  ＭＵＳＩＣ」が前述の場合とは異なる同一色で表示されている。また、各矩形は、ＬＣＤ３０の上下方向の中央に近づくほど、その上下方向の幅が広くなるように表示され、中央から外れるに従って幅が狭くなるように表示される。このように表示することにより、図５（Ｂ）に示すように、矩形が楕円柱または円柱の側面に倣って配置されているようにユーザに認識させることができる。なお、図５（Ａ）において、画面を上下方向に指でなぞることにより、タッチパネル３１に上下方向に移動する入力を与え、この入力に基づいてＣＰＵ２０ａがＬＣＤ３０に表示された矩形を回転させて移動させることにより、所望の項目を表示させることができる。すなわち、ＣＰＵ２０ａは、タッチパネル３１から出力される位置情報を参照し、ユーザの指が上下方向に移動したことを検出した場合には、指の移動開始位置から移動終了位置に向かう方向であって、移動距離または移動速度に応じた回転速度で、矩形が回転するように表示させる。この結果、例えば、画面を上から下方向になぞった場合には、指の移動速度または移動距離に応じた回転速度により、矩形が上から下に向かって回転（慣性スクロール）することになる。
【００２５】
図５（Ａ）に示す画面において、ソフトウエアボタンである「ＭＹ  ＭＵＳＩＣ」が操作された場合には、ＣＰＵ２０ａは、ＨＤＤ２０ｄに格納されているプログラムに基づいて、図６に示す処理を実行する。この処理が実行されると、後述する処理によって図７に示すような音楽画面がＬＣＤ３０に表示される。音楽画面では、後述する処理によって、アイコンのサイズを拡大、縮小したり、表示範囲を変更したりすることにより、所望のアイコンを検索し、当該アイコンを操作することにより、所望の楽曲データを再生することができる。なお、図７の例では、画面の左側の領域１１１には、アイコンの表示倍率を調整するためのスライドボタン１１２が表示されている。なお、スライドボタン１１２を画面の上方向に移動させることにより、アイコンの表示倍率を上げ、アイコンの表示サイズを大きくすることができる。また、下方向に移動させることで、アイコンの表示倍率を下げ、アイコンの表示サイズを小さくすることができる。
【００２６】
画面の右側の領域１１０には、複数のアイコン１１４がアルバム名のアルファベット順に一覧表示されている。また、アイコン１１４の左側には、それぞれのアイコン１１４のアルバム名の先頭文字を示す索引としてのインデックス１１３が表示されている。図７の例では、楽曲データのアルバム名の先頭文字が「Ａ」であるアイコン１１４が左右方向に並べて１９個表示されており、これら１９個のアイコン１１４の左側には「Ａ」を示すインデックス１１３が表示されている。また、楽曲データのアルバム名の先頭文字が「Ｂ」であるアイコン１１４が左右方向に並べて１７個表示されており、これら１７個のアイコン１１４の左側には「Ｂ」を示すインデックス１１３が表示されている。同様にして、「Ｄ」、「Ｆ」、・・・、「Ｚ」のアイコン１１４およびインデックス１１３が表示されている。なお、図７の例では、アイコン１１４は無地とされているが、アイコン１１４の内部には画像、文字、記号等の情報が表示されている。
【００２７】
つぎに、図７に示すような音楽画面を表示する処理について図６を参照して説明する。図６に示す処理が開始されると、ステップＳ１０において、ＣＰＵ２０ａは、音楽画面を表示するための情報をＨＤＤ２０ｄから取得し、描画処理部２０ｅに供給する。描画処理部２０ｅは、ＣＰＵ２０ａから供給された情報に基づいて描画処理を実行し、得られた画像を映像信号に変換してＬＣＤ３０に供給する。その結果、ＬＣＤ３０には、図７に示す音楽画面の背景画像およびスライドボタン１１２等が表示される。
【００２８】
ステップＳ１１では、ＣＰＵ２０ａは、音楽画面に表示するアイコンの表示倍率を示す情報を取得する。いまの例では、初回の表示であるので、デフォルト値として設定されている倍率（例えば、全ての楽曲データのアイコンが表示可能な倍率）が取得される。なお、２回目以降の処理では、ユーザからの指示に応じて、表示倍率が必要に応じて変更される。
【００２９】
ステップＳ１２では、ＣＰＵ２０ａは、アイコンの表示範囲を取得する。いまの例では、初回の表示であるので、デフォルト値として設定されている範囲（例えば、全ての範囲）が取得される。
【００３０】
ステップＳ１３では、ＣＰＵ２０ａは、ステップＳ１１，Ｓ１２において取得した表示倍率および表示範囲に基づいて、アイコンを表示する。すなわち、ＣＰＵ２０ａは、ステップＳ１２で取得した範囲に属する楽曲データ５０のアイコン情報５２をＨＤＤ２０ｄから取得し、ステップＳ１１で取得した倍率に基づいてアイコン情報５２を縮小（または拡大）し、アルバム名５１ｂに基づいてアイコン情報５２をアルファベット順にソートし、描画処理部２０ｅに供給してＬＣＤ３０に表示させる。いまの例では、全ての楽曲データに対応するアイコンが表示可能な倍率で、しかも全てのアイコンを範囲としてアイコンがＬＣＤ３０に表示されるので、図７に示すように、全てのアイコン１１４が、アルバム名５１ｂに基づいてアルファベット順に一覧表示される。
【００３１】
ステップＳ１４では、ＣＰＵ２０ａは、一覧表示されたアイコンの左側に、それぞれのアイコンのアルバム名の先頭文字を示すインデックス１１３を表示する。いまの例では、図７に示すように、領域１１０の左端に「Ａ」、「Ｂ」、「Ｄ」、・・・、「Ｚ」が表示される。
【００３２】
ステップＳ１５では、ＣＰＵ２０ａは、画面内に表示されない余りのインデックスが存在するか否かを判定し、余りのインデックスが存在する場合（ステップＳ１５；Ｙｅｓ）にはステップＳ１６に進み、それ以外の場合にはステップＳ１７に進む。図７の例では、全てのアイコン１１４に対応するインデックス「Ａ」〜「Ｚ」が画面内に表示されていることから、ステップＳ１５では、Ｎｏと判定されてステップＳ１７に進む。余りのインデックスが存在する場合の処理については、図８等を参照して後述する。
【００３３】
ステップＳ１６では、ＣＰＵ２０ａは、画面内に表示されない余りのインデックスを、図８に示すように、サブインデックス１１３ａ，１１３ｂとして画面の上端および下端に分けて表示する処理を実行する。なお、この処理の詳細については、図８を参照して後述する。
【００３４】
ステップＳ１７では、ＣＰＵ２０ａは、スライドボタン１１２を操作することによってズーム操作が行われたか否かを判定し、操作が行われた場合（ステップＳ１７；Ｙｅｓ）にはステップＳ２０に進み、それ以外の場合（ステップＳ１７；Ｎｏ）にはステップＳ１８に進む。より詳細には、ＣＰＵ２０ａは、タッチパネル３１の出力を参照し、スライドボタン１１２が操作されたか否かを検出し、操作された場合には操作方向と操作量をタッチパネル３１から取得し、ステップＳ２０に進む。例えば、図７に示す画面において、アイコンの表示サイズを大きくするために、スライドボタン１１２を画面の上方向に移動するように操作がされた場合には、ＣＰＵ２０ａは、ズーム操作が行われたと判定し、操作方向および操作量を取得して、ステップＳ２０に進む。
【００３５】
ステップＳ２０では、ＣＰＵ２０ａは、アイコンの表示範囲と表示倍率を決定する処理を実行する。例えば、図７に示す画面において、スライドボタン１１２が画面の上方向に移動する操作がされた場合には、スライドボタン１１２の操作方向および操作量に応じて、アイコンの表示倍率を決定する。すなわち、図７の例では、スライドボタン１１２が画面の上方向に移動されているので、アイコン１１４の表示サイズを、移動量に応じて拡大する決定を行う。また、ＣＰＵ２０ａは、アイコンの表示サイズに応じて、アイコンの表示範囲を決定する。すなわち、図７に示す画面において、スライドボタン１１２が操作された場合には、例えば、再生中のアイコンが画面の中心付近に位置するように表示するアイコンの範囲を決定する。例えば、現在再生中の楽曲データのアルバム名が「Ｇｕｅｓｓ」である場合には、当該「Ｇｕｅｓｓ」のアイコンが画面の中心付近に位置するように、表示するアイコンの範囲を決定する。
【００３６】
そして、ステップＳ２０において、アイコンの表示範囲および表示倍率が決定されると、ステップＳ１１に戻って、前述の場合と同様の処理が実行され、決定された表示範囲に対応するアイコン情報５２がＨＤＤ２０ｄから取得され、アルファベット順にソートされた後、決定された表示倍率に対応するサイズによりＬＣＤ３０に表示される。また、ステップＳ１４の処理では、表示されたアイコン１１４に対応するインデックス１１３がアイコン１１４の左側に表示される。そして、ステップＳ１５の処理では、画面に表示されているアイコンは全てのアイコンの一部であることから、余りのインデックスが存在していると判定され（ステップＳ１５；Ｙｅｓ）、ステップＳ１６に進む。ステップＳ１６では、ＣＰＵ２０ａは、余りのインデックスを、画面の上端および下端にそれぞれサブインデックス１１３ａ，１１３ｂとして表示する。図８は、図７に示す画面において、スライドボタン１１２が画面の上方向に移動された場合に表示される画面の一例である。図８の例では、図７の場合に比較して、表示されているアイコン１１４のサイズが拡大されている。また、前述したように、楽曲データ「Ｇｕｅｓｓ」が再生中であるので、「Ｇ」のインデックス１１３が画面の略中央に表示されるとともに、これに前後する「Ｆ」、「Ｇ」、「Ｊ」、および、「Ｍ」に対応するアイコンが一覧表示されている。さらに、画面の左側には、「Ｆ」、「Ｇ」、「Ｊ」、および、「Ｍ」に対応するインデックス１１３が表示され、余ったインデクスのうち、「Ａ」、「Ｂ」、および、「Ｄ」のインデックスが画面の上端にサブインデックス１１３ａとして表示されている。また、余ったインデクスのうち、「Ｎ」、「Ｏ」、「Ｒ」、「Ｕ」、「Ｖ」、および、「Ｚ」のインデックスが画面の下端にサブインデックス１１３ｂとして表示されている。なお、スライドボタン１１２が下方向に操作された場合には、アイコン１１４のサイズを縮小する処理が実行される。例えば、図８の画面において、スライドボタン１１２が下方向に操作された場合には、操作量に応じた分だけアイコン１１４のサイズが縮小されるとともに、縮小されたアイコンのサイズに応じて表示範囲が決定されて、アイコン１１４の表示がされる。
【００３７】
このようにして、スライドボタン１１２を操作することにより、アイコン１１４の表示サイズを変更することができる。また、全てのアイコン１１４が画面内に収まらない場合には、サブインデックス１１３ａ，１１３ｂが画面の上端と下端に表示されるので、現在のアイコンの表示範囲を知ることができる。また、サブインデックス１１３ａ，１１３ｂを参照することにより、表示されていない範囲のサムネイルの種類を知ることができる。さらに、サブインデックス１１３ａ，１１３ｂを操作すると、後述するように、操作されたサブインデックス１１３ａ，１１３ｂに対応する範囲に、アイコン１１４の表示範囲を移動することができる。
【００３８】
つぎに、図８に示す画面において、ユーザが、領域１１０の一部を、指によって上方向または下方向になぞる操作を行った場合には、ステップＳ１８において、ＣＰＵ２０ａは、スクロール操作が行われたと判定し（ステップＳ１８；Ｙｅｓ）、ステップＳ２０に進む。具体的には、ユーザが、領域１１０の一部を、指によって下から上になぞる操作をした場合には、ステップＳ１８においてＹｅｓと判定されて、ステップＳ２０に進む。
【００３９】
ステップＳ２０では、ＣＰＵ２０ａは、ユーザの操作量に応じて、アイコン１１４の表示範囲を決定する処理を実行する。いまの例では、領域１１０の一部を下から上になぞる操作がされているので、ＣＰＵ２０ａは、操作量に応じて、アイコン１１４の表示範囲を、末尾方向（Ｚ方向）に向かって移動する。そして、ステップＳ１１に進む。ステップＳ１１では、表示倍率は変化していないので、前回と同一の表示倍率が取得される。ステップＳ１２では、ＣＰＵ２０ａは、操作量に応じて新たなアイコンの表示範囲を取得する。より具体的には、表示範囲として、例えば、「Ｇ」〜「Ｎ」が新たな表示範囲として取得される。ステップＳ１３では、ＣＰＵ２０ａは、ステップＳ１１およびステップＳ１２で取得された表示倍率および表示範囲に基づいて、アイコン１１４を一覧表示する。ステップＳ１４では、ＣＰＵ２０ａは、表示範囲に対応するインデックス１１３を画面の左側に表示する。今の例では、「Ｇ」〜「Ｎ」のインデックス１１３が表示される。ステップＳ１５では、余りのインデックスが存在することからＹｅｓと判定され、ステップＳ１６に進む。ステップＳ１６では、ＣＰＵ２０ａは、「Ａ」、「Ｂ」、「Ｄ」、および、「Ｆ」をサブインデックス１１３ａとして画面の上端に表示し、また、「Ｏ」、「Ｒ」、「Ｕ」、「Ｖ」、および、「Ｚ」をサブインデックス１１３ｂとして画面の下端に表示する。その結果、図９に示す情報がＬＣＤ３０に表示される。この例では、「Ｇ」、「Ｊ」、「Ｍ」、および、「Ｎ」に対応するインデックス１１３が表示されるとともに、これらに対応するアイコン１１４が表示されている。また、画面の上端には「Ａ」、「Ｂ」、「Ｄ」、および、「Ｆ」がサブインデックス１１３ａとして表示され、画面の下端には「Ｏ」、「Ｒ」、「Ｕ」、「Ｖ」、および、「Ｚ」がサブインデックス１１３ｂとして表示されている。
【００４０】
以上の処理により、領域１１０の一部をなぞる操作がされた場合には、画面に表示されているアイコン１１４が所定の方向にスクロールされる。また、アイコン１１４のスクロールに応じて、インデックス１１３が移動されるとともに、余りのインデックスがサブインデックス１１３ａ，１１３ｂとして画面の上端および下端に表示される。
【００４１】
つぎに、図９に示す画面において、例えば、「Ａ」のサブインデックス１１３ａが操作された場合には、ＣＰＵ２０ａは、ステップＳ１９において、サブインデックスが操作されたと判定し（ステップＳ１９；Ｙｅｓ）、ステップＳ２０に進む。ステップＳ２０では、ステップＳ１９において操作されたサブインデックスの種類を特定し、特定したサブインデックスの種類に応じて、表示範囲を決定する処理を実行する。いまの例では、「Ａ」のサブインデックス１１３ａが操作されているので、例えば、「Ａ」に対応するアイコン１１４が画面の最上部に位置するように表示範囲を設定する。また、表示倍率については、変更がされていないので、前回と同様の表示倍率に設定する。そして、ステップＳ１１に進む。
【００４２】
ステップＳ１１では、ＣＰＵ２０ａは、表示倍率を取得する。図９に示す例では、表示倍率は変更されていないので、現状と同一の表示倍率が取得される。ステップＳ１２では、ＣＰＵ２０ａは、ステップＳ２０において決定された新たな表示範囲を取得する。ステップＳ１３およびステップＳ１４では、ＣＰＵ２０ａは、取得された範囲に対応するアイコン１１４とインデックス１１３を表示する。そして、ステップＳ１５では、余りのインデックスが存在するので、Ｙｅｓと判定されてステップＳ１６に進み、余りのインデックスをサブインデックス１１３ａ，１１３ｂとして表示する。その結果、ＬＣＤ３０には、図１０に示す画面が表示される。この例では、「Ａ」、「Ｂ」、「Ｄ」、および、「Ｆ」のインデックス１１３が表示され、これらのインデックス１１３に対応するアイコン１１４が一覧表示されている。また、図１０の表示例では、画面上端にはサブインデックス１１３ａは表示されていない。画面下端には「Ｇ」、「Ｊ」、「Ｍ」、「Ｎ」、「Ｏ」、「Ｒ」、「Ｕ」、「Ｖ」、および、「Ｚ」のサブインデックス１１３ｂが表示されている。
【００４３】
このように、サブインデックス１１３ａ，１１３ｂを操作することにより、所望のアイコンの範囲を一覧表示することができるので、画面をスクロールさせて所望の範囲に移動する場合に比較して、操作回数を減らすことができるため、操作性を向上できる。
【００４４】
なお、ステップＳ１９において、サブインデックス１１３ａ，１１３ｂが操作されていないと判定された場合（ステップＳ１９；Ｎｏ）の場合には、ステップＳ２１に進む。ステップＳ２１では、ＣＰＵ２０ａは、処理を終了するか否かを判定し、処理を終了しない場合（ステップＳ２１；Ｎｏ）にはステップＳ１７に戻って前述の場合と同様の処理を繰り返し、それ以外の場合（ステップＳ２１；Ｙｅｓ）には処理を終了する。
【００４５】
なお、前述の例では、複数のインデックス１１３が画面内に表示される場合を例に挙げて説明したが、例えば、１種類のインデックス１１３が画面内容に表示されるように表示倍率を設定することも可能である。図１１は、例えば、図９に示す画面において、スライドボタン１１２が画面のさらに上方向に操作された場合に表示される画面の一例である。この例では、「Ｇ」のインデックス１１３のみが画面に表示され、それ以外はサブインデックス１１３ａ，１１３ｂとして表示されている。なお、図１１の例では、「Ｇ」に対応するアイコン１１４は全て画面内に表示されている。
【００４６】
図１２は、図１１の画面において、スライドボタン１１２が画面の上方向にさらに操作された場合に表示される画面の一例である。この例では、図１１の場合と同様に、「Ｇ」のインデックス１１３のみが画面に表示され、それ以外はサブインデックス１１３ａ，１１３ｂとして表示されている。また、図１２の例では、「Ｇ」に対応するアイコン１１４の一部（１９個のうちの６個）のみが画面内に表示されている。なお、これ以外のアイコン１１４を表示させるためには、領域１１０の一部を下から上になぞって画面をスクロールさせればよい。
【００４７】
以上に説明したように、本発明の実施の形態では、アイコン１１４とともにインデックス１１３を表示し、画面に表示されていないインデックスをサブインデックス１１３ａ，１１３ｂを表示するようにした。このため、現在のアイコンの表示範囲を、簡易に知ることができる。また、サブインデックス１１３ａ，１１３ｂを参照することにより、画面に表示されていないアイコンの種類を知ることができる。このため、特に、表示部の表示サイズが小さい可搬型の情報処理装置に本発明を適用した場合には、操作性の高いユーザインタフェースを実現できる。
【００４８】
また、本発明の実施の形態では、サブインデックス１１３ａ，１１３ｂを操作することにより、アイコン１１４の表示範囲を変更できるようにした。このため、画面をスクロールさせる場合に比較して、操作回数を減らし、操作性を向上させることができる。
【００４９】
（Ｃ）変形実施の態様の説明
なお、上述した実施の形態は、あくまでも本発明の一態様を示すものであり、本発明の範囲内で任意に変形および応用が可能であることは勿論である。
例えば、以上の実施の形態では、アイコンをアルバム名のアルファベット順に応じて表示するようにしたが、例えば、アルバム名ではなく、アーティスト名のアルファベット順に応じて表示するようにしてもよい。より詳細には、ハードウエアボタン３３ａを操作することにより、図１３に示すようなサブメニュー１１５を表示させ、当該サブメニュー１１５において、所望のソート順序を設定するようにしてもよい。
【００５０】
すなわち、図１３の表示例では、画面内の左側には、サブメニュー１１５が表示され、画面内の最下部には音楽情報１１６が表示され、画面内の右側には表示モード切換領域１１７が表示されている。ここで、サブメニュー１１５では、領域１１０に一覧表示されているアイコン１１４の配列方法を選択するとともに、一覧表示されるアイコンを絞り込むことができる。この例では、「ＡＬＢＵＭ」、「ＤＡＴＥ」、および、「ＡＲＴＩＳＴ」はアイコンの配列方法を決定するためのメニュー項目であり、「ＡＬＢＵＭ」はアルバム名に応じてアイコンを配列し、「ＤＡＴＥ」は楽曲の作詞、作曲、編曲、演奏、または、録音日時に応じてアイコンを表示し、「ＡＲＴＩＳＴ」はアーティスト名に応じてアイコンを配列する。なお、これらは、何れかひとつを選択することができる。また、「ＪＡＺＺ」、「ＰＯＰＳ」、および、「ＣＬＡＳＳＩＣＡＬ」は、一覧表示されるアイコンを絞り込むメニュー項目である。すなわち、「ＪＡＺＺ」、「ＰＯＰＳ」、および、「ＣＬＡＳＳＩＣＡＬ」は、ジャズ、ポップス、および、クラシックのジャンルに属するアイコンを選択するためのメニュー項目である。図１３の例では、サブメニュー１１５では、「ＡＬＢＵＭ」が選択されているので、領域１１０には、アイコン１１４がアルバム名に応じてアルファベット順に表示されている。また、音楽情報１１６としては、現在再生中の楽曲データ（この例では、アルバム名「Ｇｄｄ」、楽曲名「Ｃｕｒｓｅ」、アーティスト名「Ｇｏｐｈｅｒ」の楽曲データ）に関する詳細な情報と、拡大されたアイコンとが表示される。なお、音楽情報１１６に表示される情報は、「ｉｎｆｏ」ボタンまたは「ｒｅｖｉｅｗ」ボタンを押圧することにより、選択することができる。また、「Ｌｉｓｔ」ボタンを操作することにより、表示される項目数を変更することができる。
【００５１】
表示モード切換領域１１７には、「ｉｎｆｏ」ボタン、「ｒｅｖｉｅｗ」ボタン、および、「Ｌｉｓｔ」ボタンが表示されている。「ｉｎｆｏ」ボタンおよび「ｒｅｖｉｅｗ」ボタンは択一的に選択可能とされ、「ｉｎｆｏ」ボタンが選択された場合には、楽曲データに関する詳細な情報が音楽情報１１６として表示され、「ｒｅｖｉｅｗ」ボタンが選択された場合には、楽曲データに関する口コミ情報が表示される。また、「Ｌｉｓｔ」ボタンは、音楽情報１１６を領域１１０の全領域に表示する場合に操作される。
【００５２】
このような画面において、サブメニュー１１５の「ＡＲＴＩＳＴ」が選択されると、ＣＰＵ２０ａは、図６に示す処理において、アーティスト名５１ｃに応じてアイコン１１４をソートして表示する。その結果、画面には、アーティスト名のアルファベット順に応じてアイコン１１４が表示されるとともに、表示されたアイコン１１４に対応するインデックス１１３およびサブインデックス１１３ａ，１１３ｂが表示される。また、サブメニュー１１５の「ＤＡＴＥ」が選択されると、ＣＰＵ２０ａは、図６に示す処理において、その他の情報５１ｅに含まれている日時情報に応じてアイコン１１４をソートして表示する。その結果、画面には、例えば、作詞、作曲、編曲、演奏、または、録音日時が古い順にアイコン１１４が表示されるとともに、表示されたアイコン１１４に対応するインデックス１１３およびサブインデックス１１３ａ，１１３ｂが表示される。なお、その際のインデックス１１３およびサブインデックス１１３ａとしては、例えば、西暦を示す数字が表示される。
【００５３】
また、以上の実施の形態では、ＨＤＤ２０ｄに格納されている全ての楽曲データ５０を表示の対象としたが、例えば、これらの一部を対象として表示するようにしてもよい。例えば、図１３に示す画面において、サブメニュー１１５の「ＪＡＺＺ」、「ＰＯＰＳ」、「ＣＬＡＳＳＩＣＡＬ」が選択された場合には、ＣＰＵ２０ａは、楽曲データ５０に含まれているジャンル５１ｄを参照し、指定されたジャンルの楽曲データのみを表示の対象とするようにしてもよい。例えば、図１３に示す画面において、「ＪＡＺＺ」が選択された場合には、ＣＰＵ２０ａは、図１４に示すように、選択された「ＪＡＺＺ」をハイライト表示するとともに、ジャンルが「ＪＡＺＺ」に属する楽曲データ５０に対応するアイコン１１４のみを表示対象として選択して画面に表示する。その結果、図１３に比較して、図１４の例では、アイコン１１４の表示数が減少している。なお、図１４の例では、「ＪＡＺＺ」のみを選択しているが、例えば、複数のジャンルを同時に選択可能としてもよい。例えば、「ＪＡＺＺ」と「ＰＯＰＳ」を同時に選択した場合には、ジャンルが「ＪＡＺＺ」に属する楽曲データ５０のアイコンと、「ＰＯＰＳ」に属する楽曲データ５０のアイコンが同時に表示されるようにしてもよい。また、図１３，１４の例は、一例であって、これ以外のジャンルを選択可能としてもよい。具体的には、ロック、クラブミュージック、テクノミュージック、および、その他のジャンルを設けるようにしてもよい。また、ジャンル以外にも、例えば、ユーザによって指定された楽曲または所定の回数以上再生された楽曲を「お気に入り」とし、お気に入りの楽曲データを選択して表示するようにしてもよい。
【００５４】
また、以上の実施の形態では、楽曲データに対応するアイコンを例に挙げて説明を行ったが、表示するアイコンはこのような場合に限らず、例えば、映像データのアイコン、インターネットのホームページのアイコン、地図上の施設を示す情報のアイコン、ファイルを示すアイコン、および、処理機能を示すアイコン等を表示するようにしてもよい。
【００５５】
また、以上の実施の形態では、アイコンをアルファベット順に表示する場合を例に挙げて説明したが、これ以外にも、例えば、あいうえお順に表示したり、日時順に表示したり、再生回数順に表示したりすることも可能である。例えば、あいうえお順の場合には、アルファベットの代わりに「あ」、「い」、「う」、「え」、「お」等のインデックス１１３およびサブインデックス１１３ａ，１１３ｂが表示される。また、再生回数および再生日時の場合には、再生回数および再生日時に対応する数字がインデックス１１３およびサブインデックス１１３ａ，１１３ｂとして表示される。
【００５６】
また、以上の実施の形態では、サブインデックス１１３ａ，１１３ｂについては、１つのみ選択する場合を例に挙げて説明したが、複数のサブインデックスを同時に選択可能とし、選択された複数のサブインデックスに対応するアイコン１１４が画面内に全て収まる倍率で表示を行うようにしてもよい。具体的には、図１０に示す画面において、「Ｇ」、「Ｊ」、「Ｍ」のサブインデックス１１３ｂが同時に選択された場合には、これらに対応するアイコンが領域１１０に全て表示される倍率によって、アイコンを表示するようにしてもよい。そのような方法によれば、所望の範囲のアイコンを同時に表示させて、所望の楽曲を簡単に探すことが可能になる。
【００５７】
また、以上の実施の形態では、再生の対象となる楽曲データ５０をＨＤＤ２０ｄに格納するようにしたが、これ以外の記憶媒体に記憶するようにしてもよい。例えば、内蔵または外付けのＥＥＰＲＯＭ（Erasable Programmable ROM）に格納するようにしたり、あるいは、光記録媒体としてのＣＤ（Compact Disk）またはＭＤ（Mini Disk）等に格納するようにしたりしてもよい。
【符号の説明】
【００５８】
１０…情報端末装置
２０ａ…ＣＰＵ
２０ｂ…ＲＯＭ
２０ｃ…ＲＡＭ
２０ｄ…ＨＤＤ
２０ｅ…描画処理部（アイコン表示手段、インデックス表示手段、サブインデックス表示手段）
２０ｆ…Ｉ／Ｆ
２０ｇ…バス
３０…ＬＣＤ（表示部）
３１…タッチパネル（指定受付手段）
３２…ＧＰＳ受信部
３３…入力部
３４…再生部
３５…接続端子
【図１】
2013200894.tif 000003
【図２】
2013200894.tif 000004
【図３】
2013200894.tif 000005
【図４】
2013200894.tif 000006
【図５】
2013200894.tif 000007
【図６】
2013200894.tif 000008
【図７】
2013200894.tif 000009
【図８】
2013200894.tif 000010
【図９】
2013200894.tif 000011
【図１０】
2013200894.tif 000012
【図１１】
2013200894.tif 000013
【図１２】
2013200894.tif 000014
【図１３】
2013200894.tif 000015
【図１４】
2013200894.tif 000016
【手続補正書】
【提出日】平成25年7月22日(2013.7.22)
【手続補正１】
【補正対象書類名】特許請求の範囲
【補正対象項目名】全文
【補正方法】変更
【補正の内容】
【特許請求の範囲】
【請求項１】
複数のインデックスと、夫々の前記インデックスに属するアイコンとを、表示サイズを拡大又は縮小可能に表示部に表示すると共に、
表示サイズの拡大又は縮小に応じて前記表示部に表示できなくなるアイコンについて、そのアイコンが属する前記インデックスを、サブインデックスとして表示することを特徴とする情報端末装置。
【請求項２】
前記表示部に表示する前記アイコンの表示範囲は、スクロールによって、複数の前記インデックスを跨って、変更可能であることを特徴とする請求項１に情報端末装置。
【請求項３】
前記サブインデックスが選択されると、その前記サブインデックスに対応する前記アイコンが前記表示部に表示されることを特徴とする請求項１又は２に記載の情報端末装置。
【請求項４】
情報端末装置の情報処理方法において、
複数のインデックスと、夫々の前記インデックスに属するアイコンとを、表示サイズを拡大又は縮小可能に表示部に表示すると共に、
表示サイズの拡大又は縮小に応じて前記表示部に表示できなくなるアイコンについて、そのアイコンが属する前記インデックスを、サブインデックスとして表示する
ことを特徴とする情報端末装置の情報処理方法。
【請求項５】
情報端末装置の情報処理プログラムにおいて、
コンピュータを、
複数のインデックスと、夫々の前記インデックスに属するアイコンとを、表示サイズを拡大又は縮小可能に表示部に表示すると共に、表示サイズの拡大又は縮小に応じて前記表示部に表示できなくなるアイコンについて、そのアイコンが属する前記インデックスを、サブインデックスとして表示する手段として機能させることを特徴とする情報端末装置の情報処理プログラム。
【手続補正２】
【補正対象書類名】明細書
【補正対象項目名】００１０
【補正方法】変更
【補正の内容】
【００１０】
また、本発明は、情報を表示する表示部を有する可搬型の情報端末装置の情報処理プログラムにおいて、所定の情報を示す複数のアイコンを前記表示部に表示する際の表示サイズと表示範囲の指定を前記表示部に重ねて配置されたタッチパネルへのユーザ操作に基づいて受け付ける指定受付手段、前記指定受付手段によって受け付けられた前記表示サイズと前記表示範囲に基づいて、前記表示範囲に属するアイコンを、前記表示サイズで前記表示部に所定の順序で表示するアイコン表示手段、前記アイコン表示手段によって表示されたアイコンのまとまりを示す索引としてのインデックスを前記アイコンのまとまり毎に前記表示部に表示するインデックス表示手段と、前記表示部に表示されないインデックスの全てを、前記表示部にサブインデックスとして表示するサブインデックス表示手段、としてコンピュータを機能させ、前記アイコン表示手段は、前記アイコンが表示されている画面の領域における前記タッチパネルへのユーザのスクロール操作に基づいて、前記アイコンの表示範囲を移動させることを特徴とするコンピュータ読み取り可能な情報処理プログラムを提供することができる。
なお、この制御プログラムは、フレキシブルディスクやハードディスク装置等の磁気的記録媒体、ＭＯ等の光磁気記録媒体、ＣＤ−Ｒ、ＣＤ−ＲＷ、ＤＶＤ±Ｒ、ＤＶＤ±ＲＷ、ＤＶＤ−ＲＡＭ等の光学式記録媒体、半導体記憶デバイスを用いた記憶装置等の各種記録媒体に、コンピュータによって読み取り可能な形式で記録された形態としてもよい。
また、本発明は、情報端末装置において、複数のインデックスと、夫々の前記インデックスに属するアイコンとを、表示サイズを拡大又は縮小可能に表示部に表示すると共に、表示サイズの拡大又は縮小に応じて前記表示部に表示できなくなるアイコンについて、そのアイコンが属する前記インデックスを、サブインデックスとして表示することを特徴とする。
また、本発明の情報端末装置は、前記表示部に表示する前記アイコンの表示範囲は、スクロールによって、複数の前記インデックスを跨って、変更可能であることを特徴とする。
また、本発明の情報端末装置は、前記サブインデックスが選択されると、その前記サブインデックスに対応する前記アイコンが前記表示部に表示されることを特徴とする。
また、本発明は、情報端末装置の情報処理方法において、複数のインデックスと、夫々の前記インデックスに属するアイコンとを、表示サイズを拡大又は縮小可能に表示部に表示すると共に、表示サイズの拡大又は縮小に応じて前記表示部に表示できなくなるアイコンについて、そのアイコンが属する前記インデックスを、サブインデックスとして表示することを特徴とする。
また、本発明は、情報端末装置の情報処理プログラムにおいて、コンピュータを、複数のインデックスと、夫々の前記インデックスに属するアイコンとを、表示サイズを拡大又は縮小可能に表示部に表示すると共に、表示サイズの拡大又は縮小に応じて前記表示部に表示できなくなるアイコンについて、そのアイコンが属する前記インデックスを、サブインデックスとして表示する手段として機能させることを特徴とする。